(57)【要約】【課題】カラオケ装置が内蔵するアクセスポイントの有効利用を図る。【解決手段】本発明に係るカラオケシステムは、有線ネットワークで接続された無線機能内蔵カラオケ装置と接続対象カラオケ装置と、有線ネットワークとは異なるアドレス体系にて無線機能内蔵カラオケ装置と無線接続するリモコン装置を備え、無線機能内蔵カラオケ装置の第２制御手段は、アクセスポイントにて、リモコン装置から接続対象カラオケ装置宛のコマンドを受信した場合、当該コマンドを第２通信が形成するネットワークに転送し、接続対象カラオケ装置の第１制御手段は、第１通信手段にて、無線機能内蔵カラオケ装置から転送されたコマンドを受信して実行することを特徴とする。【選択図】図８
2014131122.tif 000002
【特許請求の範囲】
【請求項１】
接続対象カラオケ装置と無線機能内蔵カラオケ装置がネットワークで接続され、操作手段としてリモコン装置を有するカラオケシステムにおいて、
接続対象カラオケ装置は、無線機能内蔵カラオケ装置と有線通信可能な第１通信手段と、第１制御手段と、を備え、
無線機能内蔵カラオケ装置は、第１通信手段と有線通信可能な第２通信手段と、第１通信手段と第２通信手段が形成するネットワークと異なるアドレス体系にて無線通信を行うアクセスポイントと、第２制御手段と、を備え、
リモコン装置は、アクセスポイントと無線通信を行う無線通信手段と、第３制御手段と、を備え、
無線機能内蔵カラオケ装置の第２制御手段は、アクセスポイントにて、リモコン装置から接続対象カラオケ装置宛のコマンドを受信した場合、当該コマンドを第２通信が形成するネットワークに転送し、
接続対象カラオケ装置の第１制御手段は、第１通信手段にて、無線機能内蔵カラオケ装置から転送されたコマンドを受信して実行することを特徴とする
カラオケシステム。
【請求項２】
リモコン装置は、第２の無線通信を行う無線送信手段を備え、
接続対象カラオケ装置は、第２の無線通信にて無線送信手段から送信された信号を受信可能な無線受信手段を備え、
リモコン装置の第３制御手段は、アクセスポイントと無線接続するとともに、無線機能内蔵カラオケ装置の識別情報を含む対応付け要求を、無線送信手段にて接続対象カラオケ装置に送信する第１処理と、
接続対象カラオケ装置の第１制御手段は、対応付け要求を受信したとき、接続対象カラオケ装置の識別情報を含む第２対応付け要求を第１通信手段にて無線機能内蔵カラオケ装置に送信する第２処理と、
無線機能内蔵カラオケ装置の第２制御手段は、第２対応付け要求を第２通信手段にて受信したとき、対応付け要求を行ったリモコン装置に対し、接続対象カラオケ装置の識別情報を、アクセスポイントにて送信する第３処理と、
リモコン装置の第３制御手段は、無線通信手段にて受信した接続対象カラオケ装置の識別情報を記憶する第４処理と、を含んだ対応付け処理を実行可能とする
請求項１に記載のカラオケシステム。
【請求項３】
リモコン装置は、アクセスポイントが無線送信するＳＳＩＤに基づいて、無線機能内蔵カラオケ装置の識別情報を判定可能とすることを特徴とする
請求項２に記載のカラオケシステム。
【発明の詳細な説明】
【技術分野】
【０００１】
本発明は、ネットワークで接続されたカラオケ装置を含んで構成されるカラオケシステムに関するものであり、特に、カラオケ装置が備えるアクセスポイントにリモコン装置を無線接続させて使用するカラオケシステムに関するものである。
【背景技術】
【０００２】
カラオケボックス、あるいは、スナックなどのナイト店に設置されるカラオケシステムは、情報通信の普及、並びに、ハードディスクの大容量化に伴い飛躍的にその収録曲数を増加させてきた。近年では１台のカラオケ装置において１０万曲以上の楽曲を収録し、演奏を行うことが可能である。
【０００３】
近年では、インターネットによる情報通信の大容量化、高速化、そして、情報処理機能の高速化によりさらなる機能付加が行われている。例えば、ユーザー認証を行うことで個々の顧客に応じた情報を提供したり、ユーザーの歌唱の様子を録画し、インターネット上で公開するなど、幅広いサービスを行うことが可能となっている。
【０００４】
各種店舗にて、このようなサービスを提供する場合、店舗内に設置された通信ネットワーク（ＬＡＮ）が用いられる。現在、この通信ネットワークには、カラオケ装置としてのコマンダのみならず、コマンダに対して演奏する楽曲を指定（予約）したり、前述したようなサービスを受けるための指示を発するリモコン装置が利用される。このリモコン装置は、バッテリーで駆動、並びに、ネットワークへの無線接続にて遠隔操作することが可能となっており、ユーザーに対する操作性の向上が図られている。
【０００５】
特許文献１には、このようなリモコン装置を無線でネットワークに接続するカラオケシステムが開示されている。リモコン装置（電子早見本装置２２）は、ＬＡＮ上に設置されたアクセスポイント２６と無線通信することで、リモコン装置からの選曲入力を受けてカラオケ装置１６に送信する等、相互の情報のやりとりを実行可能としている。
【先行技術文献】
【特許文献】
【０００６】
【特許文献１】特開２０１１−２０９６３１公報
【発明の概要】
【発明が解決しようとする課題】
【０００７】
この特許文献１にみられるように現状のカラオケシステムでは、リモコン装置とカラオケ装置との間で無線ＬＡＮ通信を行う際、ネットワーク上に外部装置としてアクセスポイントを設置し、アクセスポイントを介して無線ＬＡＮ通信することが一般的であった。そのためカラオケシステムを設置する店舗側では、カラオケ装置やリモコン装置のみならず、アクセスポイントを別途購入して設置する必要があるとともに、また、その設置のためのスペースも必要となる。
【０００８】
このような無線ＬＡＮを利用したネットワークの導入は、カラオケ装置を数台〜数十台設置するカラオケボックスでは、アクセスポイント１台をインフラストラクチャモードで動作させれば数台〜数十台の無線ＬＡＮ通信に介在することが可能であるため、無線ＬＡＮ通信を行なう装置数が増加しても特段支障はないものの、スナックなどのナイト店においては、たとえ、コマンダ１台とリモコン装置１台であっても、別途、アクセスポイント１台を購入し、設置場所を用意することとなり、費用及び設置などの点において使い勝手
の悪いものとなっている。
【０００９】
そのため出願人（製造者側）では、カラオケ装置内にリモコン装置と無線通信を行うアクセスポイントに相当する無線ＬＡＮ通信部を設けることを検討している。無線ＬＡＮ通信する装置が１対１で通信したり、装置数が小規模（例えば、リモコンとカラオケ装置が数台以下）である場合は、アドホックモードで動作させることが多い。このような構成によれば、上述したナイト店などにおいても別途、アクセスポイントを設置する必要はなく、カラオケシステム導入の敷居が下がることとなる。このような無線ＬＡＮ機能を備えたカラオケ装置は、ナイト店専用とすることも考えられるが、製造者側としてはコマンダの商品種類を、ナイトとデイ市場のカラオケボックスとで統一することが実情である。そのため、カラオケボックスのように複数のカラオケ装置がネットワークに接続されるカラオケシステムにおいても無線ＬＡＮ機能を備えたカラオケ装置を使用することが考えられる。
【００１０】
このように複数のカラオケ装置が同じネットワーク上で利用される環境では、アクセスポイントを内蔵していないカラオケ装置と、上述したアクセスポイントを内蔵したカラオケ装置とが、同じネットワーク上で混在することが考えられる。また、アクセスポイントを内蔵したカラオケ装置における、リモコン装置と無線ＬＡＮ接続は、カラオケ装置同士を有線接続するネットワークとは異なるＩＰアドレス体系（ＩＰアドレス空間）でネットワーク（アドホックモード）を構成することが考えられる。このような場合、内蔵したアクセスポイントが構成するネットワークと、カラオケ装置間のネットワーク間では通信を行うことができず、カラオケ装置に内蔵されたアクセスポイントを共用することができない。したがって、アクセスポイントを内蔵していないカラオケ装置のために従来と同様、外部アクセスポイントを設置する必要がある。
【課題を解決するための手段】
【００１１】
そのため、本発明に係るカラオケシステムは、
接続対象カラオケ装置と無線機能内蔵カラオケ装置がネットワークで接続され、操作手段としてリモコン装置を有するカラオケシステムにおいて、
接続対象カラオケ装置は、無線機能内蔵カラオケ装置と有線通信可能な第１通信手段と、第１制御手段と、を備え、
無線機能内蔵カラオケ装置は、第１通信手段と有線通信可能な第２通信手段と、第１通信手段と第２通信手段が形成するネットワークと異なるアドレス体系にて無線通信を行うアクセスポイントと、第２制御手段と、を備え、
リモコン装置は、アクセスポイントと無線通信を行う無線通信手段と、第３制御手段と、を備え、
無線機能内蔵カラオケ装置の第２制御手段は、アクセスポイントにて、リモコン装置から接続対象カラオケ装置宛のコマンドを受信した場合、当該コマンドを第２通信が形成するネットワークに転送し、
接続対象カラオケ装置の第１制御手段は、第１通信手段にて、無線機能内蔵カラオケ装置から転送されたコマンドを受信して実行することを特徴とする
カラオケシステム。
【００１２】
さらに本発明に係るカラオケシステムにおいて、
リモコン装置は、第２の無線通信を行う無線送信手段を備え、
接続対象カラオケ装置は、第２の無線通信にて無線送信手段から送信された信号を受信可能な無線受信手段を備え、
リモコン装置の第３制御手段は、アクセスポイントと無線接続するとともに、無線機能内蔵カラオケ装置の識別情報を含む対応付け要求を、無線送信手段にて接続対象カラオケ装置に送信する第１処理と、
接続対象カラオケ装置の第１制御手段は、対応付け要求を受信したとき、接続対象カラオケ装置の識別情報を含む第２対応付け要求を第１通信手段にて無線機能内蔵カラオケ装置に送信する第２処理と、
無線機能内蔵カラオケ装置の第２制御手段は、第２対応付け要求を第２通信手段にて受信したとき、対応付け要求を行ったリモコン装置に対し、接続対象カラオケ装置の識別情報を、アクセスポイントにて送信する第３処理と、
リモコン装置の第３制御手段は、無線通信手段にて受信した接続対象カラオケ装置の識別情報を記憶する第４処理と、を含んだ対応付け処理を実行可能とする。
【００１３】
さらに本発明に係るカラオケシステムにおいて、
リモコン装置は、アクセスポイントが無線送信するＳＳＩＤに基づいて、無線機能内蔵カラオケ装置の識別情報を判定可能とすることを特徴とする。
【発明の効果】
【００１４】
本発明に係るカラオケシステムによれば、アクセスポイントを内蔵した無線機能内蔵カラオケ装置と、アクセスポイントを内蔵していない接続対象カラオケ装置が混在したネットワーク環境下において、接続対象カラオケ装置に対してコマンドを発行するリモコン装置を無線接続させる場合、無線機能内蔵カラオケ装置のアクセスポイントを使用することが可能となる。特に、有線通信環境と無線通信環境のアドレス体系が異なる場合においてもリモコン装置と接続対象カラオケ装置間の通信を可能とする。
【００１５】
したがって、接続対象カラオケ装置のために別途、アクセスポイントを設ける必要が無く、カラオケシステムの簡略化を図ることが可能となる。さらに、外部アクセスポイントが設置されていたネットワーク環境下において、外部アクセスポイントが故障した場合において、無線機能内蔵カラオケ装置のアクセスポイントを代用して使用することも可能となる。
【図面の簡単な説明】
【００１６】
【図１】従来のカラオケシステム設置の様子を示す模式図
【図２】本発明（従来）の実施形態で使用するカラオケ装置の構成を示すブロック図
【図３】本発明（従来）の実施形態で使用するリモコン装置の構成を示すブロック図
【図４】従来のカラオケシステムにおけるペアリング処理、通常処理を説明するための図
【図５】本発明の実施形態に係るカラオケシステム設置の様子を示す模式図
【図６】本発明の実施形態で使用するカラオケ装置の構成を示すブロック図
【図７】本発明の実施形態に係るカラオケシステムにおけるペアリング処理、通常処理を説明するための図
【図８】本発明の実施形態に係るカラオケシステムにおけるペアリング処理、通常処理を説明するための図
【図９】本発明の実施形態に係るペアリング要求処理を示すフロー図
【図１０】本発明の実施形態に係るペアリング要求返信処理を示すフロー図
【図１１】本発明の実施形態に係るコマンド転送処理を示すフロー図
【発明を実施するための形態】
【００１７】
図１は、従来のカラオケシステム設置の様子を示した模式図である。この模式図は、カラオケボックスのように、複数の部屋（部屋Ａ〜部屋Ｃ）にコマンダ（カラオケ装置）２ａ〜２ｃが設置された場合の設置例となっている。なお、この設置例は、説明を簡易なものとするための設置例であって、実際のカラオケボックスでは図示された数以上の部屋が設置されることがほとんどである。図１の設置例では、部屋Ａ〜Ｃのそれぞれにコマンダ２ａ〜２ｃが設置されている。また、部屋内にはコマンダ２ａ〜２ｃを操作可能とするリ
モコン装置１ａ〜１ｄが配置される。
【００１８】
各部屋に設置されたコマンダ２ａ〜２ｃは、有線のＬＡＮ１００に接続されることで店舗内のネットワークを構築している。また、このネットワークには、ルータ１２０が接続されている。ルータ１２０は、インターネットに接続されたサーバ装置（図示せず）等と相互に通信を行うことで、カラオケ演奏に必要とされる楽曲情報など、各種カラオケサービスに使用される情報を受信することが可能とされている。
【００１９】
このネットワークには、無線ＬＡＮネットワークを構成するためのアクセスポイント１１０が接続されている。各部屋Ａ〜Ｃに設置されたリモコン装置１ａ〜１ｄは、このアクセスポイント１１０と無線接続することで、コマンダ２ａ〜２ｃが接続されたネットワークに参加することが可能となっている。さらに、各リモコン装置１ａ〜１ｄは、同室内のコマンダ２ａ〜２ｃに対応付けされており、対応付けされたコマンダ２ａ〜２ｃとの間で、選曲指令などのコマンド送信を含む各種情報通信を行うことを可能としている。このリモコン装置１ａ〜１ｄとコマンダ２ａ〜２ｃとの対応付けについては後で詳しく説明する。
【００２０】
図２には、本発明の実施形態に係るコマンダ２（本発明における「カラオケ装置」）の構成を示すブロック図が示されている。図１においては、複数のコマンダ２ａ〜２ｃを分けて説明するため、アルファベットの添え字ａ〜ｃを付して説明したが、ここでは添え字を省略して説明する。後で説明するリモコン装置１についても同様である。
【００２１】
コマンダ２は、制御手段としてのＣＰＵ（中央演算処理部）３０、メモリ２７などを有して構成されている。ＣＰＵ３０は、操作処理部２２と、赤外線通信部２３と、有線ＬＡＮ通信部２４と、音声制御部２５と、メモリ２７と、ビデオＲＡＭ２８と、映像再生部２９と、ＨＤＤ３２と電気的に接続されている。メモリ２７は、各種プログラムを実行するにあたって必要となる情報を一時記憶する。制御手段は、ＨＤＤ（ハードディスク）３２等の記憶手段に記憶したプログラムを読み出すことで、音声制御部１７や映像再生部２９などの周辺構成に対して、各種処理を実行することが可能である。
【００２２】
また、コマンダ２は、カラオケ機能として楽曲を演奏するための演奏手段として音響制御部２５を備える。音響制御部２５は、ＣＰＵ３０などの制御に基づいて、ＨＤＤ３２に記憶する楽曲情報を読み出してＭＩＤＩ音源２６などに演奏させる。この音響制御部２５は、ＭＩＤＩ音源２６で演奏による演奏音声と、マイクロホン４３から入力される歌唱音声とをミキシングしてスピーカー４２から放音させるミキシング機能も有している。
【００２３】
また、コマンダ２は、ユーザーからの各種入力を受け付け可能な入力手段としての操作部２１を備える。また、コマンダ２は、操作部２１からの入力を解釈してＣＰＵ３０に伝達する操作処理部２２を備える。また、コマンダ２は、各種情報を記憶する記憶手段としてのＨＤＤ３２（ハードディスク）を備える。また、コマンダ２は、ＬＡＮ１００に有線接続してネットワークに接続するための有線ＬＡＮ通信部２４を備えている。
【００２４】
また、コマンダ２は、外部モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対して歌詞テロップを重畳したり、映像効果を付与する映像制御部３１を備えて構成される。
【００２５】
このような構成にてコマンダ２は、各種処理を実行することとなるが、コマンダ２の主な機能として、楽曲予約処理、楽曲演奏処理、映像表示処理などを実行可能としている。楽曲予約処理は、ユーザーからの指定に基づいて楽曲を指定、予約するための処理であっ
てリモコン装置１と連携して実行される。リモコン装置１から送信された予約情報をメモリ２７に記憶する予約テーブルに登録する。楽曲演奏処理は、予約テーブルに登録された予約情報に基づいて順次楽曲を音響制御部２５に対して演奏させる処理である。この楽曲演奏処理に同期して映像再生処理が実行される。この映像再生処理は、映像制御部３１を含んで構成される映像再生手段に対し各種映像情報、歌詞情報などを再生させ、外部モニタ４１を介した視覚情報をユーザーに提供し、歌唱補助を行う処理である。
【００２６】
本実施形態のコマンダ２は、外部機器と通信を行う構成として、有線ＬＡＮ通信部２４と、赤外線通信部２３を有して構成される。有線ＬＡＮ通信部２４は、ＬＡＮ（有線）１００に参加するための通信手段であり、ＬＡＮケーブルで接続されたコマンダ２、ルータ１２０、アクセスポイント１１０との間でネットワーク（イントラネット）を形成可能としている。コマンダ２は、ルータ１２０との間で通信を行うことでインターネットとの間で通信を行うことが可能であり、図示しないインターネット上に設置されたカラオケ用サーバ装置から新曲を受信したり、他のサーバ装置から各種情報を取得することが可能である。また、同じネットワーク上に設置されたアクセスポイント１１０は、リモコン装置１との間で無線ネットワークを形成し、コマンダ２は、アクセスポイント１１０を介してリモコン装置１と楽曲選択などの各種コマンドの送受信などを可能としている。
【００２７】
赤外線通信部２３（本発明における「無線受信手段」）は、リモコン装置１をネットワークに無線接続させる接続処理を実行する際、使用される通信手段であって、本実施形態では受信機能のみを有する形態となっている。なお、この赤外線通信部２３は、リモコン装置１とネットワークを介した通信ができない場合、リモコン装置１からの予約情報を受信するなど、予備的な通信手段として使用することも可能である。
【００２８】
図３には、リモコン装置１の構成を示すブロック図が示されている。リモコン装置１は、コマンダ２に対して予約情報など各種指示を送信するとともに、コマンダ２あるいはインターネット上のサーバ装置から各種情報を受信する。リモコン装置１は、リモコン側表示手段としての表示部１１と、ユーザーからの各種入力を受け付けるリモコン側入力手段としての操作部１７とを備える。
【００２９】
リモコン装置１は、リモコン装置１全体を統括して制御するための制御手段を備えて構成されている。この制御手段は、リモコン装置１の各種処理を統括して実行するＣＰＵ１５、各種処理を実行するためのプログラム、並びに、プログラム実行に伴って発生する各種情報を記憶するメモリ１４を含んで構成される。そして、リモコン装置１は、表示部１１に表示させる映像を形成する映像制御部１３、表示する映像情報を一時的に蓄えるビデオＲＡＭ１２、操作部１７からの入力を解釈してＣＰＵ１５に伝達する操作処理部１８を含んで構成されている。なお、リモコン装置１の表示部１１と操作部１７は組となってタッチパネル表示画面を形成することとしてもよい。ＣＰＵ１５は、ビデオＲＡＭ１２と、映像制御部１３と、メモリ１４と、無線ＬＡＮ通信部１６と、操作処理部１８と、赤外線通信部１９と電気的に接続される。
【００３０】
また、リモコン装置１は、コマンダ２などの外部機器と無線通信を行う手段として、無線ＬＡＮ通信部１６、赤外線通信部１９を備えて構成される。無線ＬＡＮ通信部１６（本発明における「無線通信手段」）は、アクセスポイント１１０と無線接続することで、リモコン装置１をネットワークに接続させる。
【００３１】
無線ＬＡＮ通信部１６を使用することでネットワークに無線接続されたリモコン装置１は、ネットワークを介し、対応付けされている特定のコマンダ２に対して予約情報など各種指令を送信可能としている。また、リモコン装置１は、コマンダ２あるいはインターネット上のサーバ装置などから各種情報を受信することが可能である。
【００３２】
ここでリモコン装置１とコマンダ２との対応付けについて説明しておく。対応付け（別称、くくり付け、紐付け、ペアリングなどと呼ばれる）は、リモコン装置１が特定のコマンダ２と対応付けられることを意味している。リモコン装置１とコマンダ２間の対応付けは、対応付け処理を実行することで行われる。通常、図１に示されるように、部屋Ａの場合には、同じ部屋で使用されるリモコン装置１ａに対してコマンダ２ａが対応付けされる。また、部屋Ｂのように、１つのコマンダ２ｂに対して複数のリモコン装置１ｂ、１ｃを対応付けることも可能である。
【００３３】
対応付け処理は、リモコン装置１側の赤外線通信部２３と、コマンダ２側の赤外線通信部１９間で通信を行い、個々のコマンダ２を識別するための個体識別情報をリモコン装置１のメモリ１４に記憶させることなどで行うことが可能である。本実施形態では、リモコン装置１の識別情報として、リモコン装置１が無線接続されたネットワーク上での識別情報となるＩＰアドレスを使用している。
【００３４】
このようなリモコン装置１の構成により、ユーザーからの各種入力を操作部１７にて受付けるとともに、映像情報を表示部１１に表示してユーザーに対して各種情報を提供するとともに、コマンダ２あるいはカラオケ用ホスト５に対して楽曲予約などの各種指示を送信することが可能とされている。
【００３５】
以上説明したように、図１に説明するカラオケシステムの環境下においては、リモコン装置１は、コマンダ２ａ〜２ｃの外部に設置されたアクセスポイント１１０と無線接続することでネットワークに参加し、対応付けられた何れかのコマンダ２ａ〜２ｃ、あるいは、インターネット上のサーバ装置などと通信することを可能としている。
【００３６】
では、図１に示すカラオケシステムについて、リモコン装置１とコマンダ２を対応付ける対応付け処理（以下、ペアリング処理と称す）、並びに、リモコン装置１からコマンダ２に対して各種命令（コマンド）を送信する通常処理について説明する。図４には、図１にカラオケシステム中、部屋Ａにおいて、リモコン装置１ａとコマンダ２ａを対応付けるペアリング処理を実行した後、リモコン装置１ａからコマンダ２ａへコマンドを送信する通常処理について、各種信号のやりとりが示されている。
【００３７】
リモコン装置１ａは、外部アクセスポイント１１０と事前に無線接続されており、同じネットワークに参加しているコマンダ２ａと外部アクセスポイント１１０を介して情報の送受信を行うことが可能となっている。部屋Ａ内のユーザは、自己が操作するリモコン装置１ａとの前に設置されているコマンダ２ａを対応付けるペアリング処理を行う際、リモコン装置１ａを操作して、リモコン装置１ａの赤外線通信部１９からコマンダ２ａの赤外線通信部２３に対してペアリング要求を送信する。このペアリング要求には、リモコン装置１ａのネットワーク上でのＩＰアドレス（識別情報）が含まれている。
【００３８】
コマンダ２ａは、赤外線通信部２３を介してペアリング要求を受信した際、自己（コマンダ２ａ）のＩＰアドレスを、リモコン装置１ａに送信するため、外部アクセスポイント１１０を介してネットワーク上にてブロードキャスト配信を行う。この外部アクセスポイント１１０がブロードキャスト配信する内容としては、宛先としてのリモコン装置１ａのＩＰアドレスと、対応付けのためのコマンダ２ａのＩＰアドレスが含まれている。ブロードキャストされた無線信号を受信して、外部アクセスポイント１１０からのブロードキャスト配信の宛先が自分のものであることを判定したリモコン装置１ａは、ブロードキャスト配信に含まれるコマンダ２ａのＩＰアドレスを、自己が対応付けるコマンダ２ａの識別情報としてメモリ１４に記憶する。
【００３９】
以上が図１のカラオケシステムにおけるペアリング処理の内容であるが、本実施形態では、リモコン装置１ａは、コマンダ２ａのＩＰアドレスを記憶するペアリング処理を実行することで、自己とコマンダ２ａを対応付け、後の通常処理にて、複数のコマンダ２ａ〜２ｃが接続されたネットワーク中で、対応付けられたコマンダ２ａに対してコマンドを送信することが可能となる。この通常処理においてリモコン装置１ａが送信するコマンドには、コマンダ２ａに実行させる処理に関する指示の他、メモリ１４に記憶させたコマンダ２ａのＩＰアドレスを宛先として付して無線送信する。
【００４０】
リモコン装置１ａから無線送信されたコマンドは、外部アクセスポイント１１０にて受信後、有線ＬＡＮを通じて、宛先として付されているコマンダ２ａにて受信される。コマンドを受信したコマンダ２ａは、受信したコマンドで指定された処理内容を実行する。このように本実施形態では、図１中、リモコン装置１ａ〜１ｄ、コマンダ２ａ〜２ｃ、外部アクセスポイント１１０は、ＩＰアドレス体系が同じネットワーク（イントラネット）内で接続されているため、相互の通信に何ら支障はみられない。
【００４１】
ところで、本発明の課題において説明したように、現在、ナイト店などの利用を考慮して、アクセスポイントを内蔵したコマンダ２をカラオケボックスなど複数のコマンダ２を使用する環境化において採用することが考えられる。ナイト店では、このようなコマンダ２を利用することで、外部にアクセスポイントを設置する必要が無く、その利便性が図られたものとなる。その際、ナイト店と同様に外部アクセスポイント１１０を設置する必要はなくなる。しかしながら、アクセスポイントを内蔵するコマンダ２には、使用する無線ネットワーク環境にアドホックモードを採用したものがある。このアドホックモードは、図１中、コマンダ２ａ〜２ｃ、ルータ１２０を接続するネットワーク環境（イントラネット）とは、異なるＩＰアドレス体系となるため、相互のネットワーク間で通信を行うことができない。
【００４２】
図５には、アクセスポイントを内蔵したコマンダ２ａ’をネットワークに接続したカラオケシステムが示されている。図１で説明したカラオケシステムとは、コマンダ２ａ’がアクセスポイントを内蔵した機種である点、並びに、外部にアクセスポイントが設置されていない点において異なっている。コマンダ２ａ’のアクセスポイントは、無線ネットワーク環境にアドホックモードを採用したものとなっている。カラオケシステムにおいて、無線接続を必要とするリモコン装置１ａ〜１ｄは、このコマンダ２ａ’が内蔵するアクセスポイントとアドホックモードにて無線接続することが可能である。
【００４３】
このようなアドホックモードにおけるネットワーク環境下では、コマンダ２ａ’とリモコン装置１ａ〜１ｄ間（破線で示す枠内）では通信を行うことができるものの、リモコン装置１ａ〜１ｄと、コマンダ２ｂ、２間では、ＩＰアドレス体系が異なることを理由として通信を行うことができない。そのため、部屋Ｂに接続されたリモコン装置１ｂ、１ｃとコマンダ２ｂ間での通信、並びに、部屋Ｃに接続されたリモコン装置１ｄとコマンダ２ｃ間での通信を行うことができず、リモコン装置１から同室に設置されたコマンダ２にコマンドを送信することができないという不都合が生じる。
【００４４】
本実施形態のカラオケシステムは、アクセスポイントを内蔵したコマンダ２ａ’においてアドホックモードを採用した場合に生じる不都合を解消するものである。まず、図５のカラオケシステムにおいて、アクセスポイントを内蔵したコマンダ２ａ’と同室（部屋Ａ）に設置されるリモコン装置１ａと、コマンダ２ａ’のペアリング処理、通常処理について説明する。
【００４５】
図６には、アクセスポイントを内蔵したコマンダ２ａ’について、その制御構成を示すブロック図が示されている。このコマンダ２ａ’は、図２で説明したコマンダ２と比較し
て、内蔵アクセスポイント３３を備えた点において異なっている。内蔵アクセスポイント３３は、無線ＬＡＮ通信によって外部の各種機器と無線通信を可能とする手段である。本実施形態では、アドホックモードによって、リモコン装置１ａ〜１ｄと無線接続し、無線ネットワークを形成している。
【００４６】
図７は、部屋Ａに設置されたリモコン装置１ａとコマンダ２ａ’とのペアリング処理、通常処理を説明するための図である。ペアリング処理は、リモコン装置１ａを操作することで、赤外線通信手段１９から送信されるペアリング要求にて開始される。このペアリング要求には、リモコン装置１ａのＩＰアドレス（識別情報）が含まれている。このペアリング要求を赤外線通信部２３にて受信したコマンダ２ａ’は、リモコン装置１ａに対して自己（コマンダ２ａ’）のＩＰアドレス（識別情報）を伝えるべく、リモコン装置１ａのＩＰアドレスを宛先として、無線ネットワーク（アドホックモード）を介して自己のＩＰアドレスをブロードキャスト配信する。
【００４７】
リモコン装置１ａは、無線ネットワークでブロードキャスト配信されたコマンダ２ａ’のＩＰアドレスを受信した後、メモリ１４に記憶させることでペアリング処理が終了する。通常処理において、リモコン装置１ａは、対応付けられているコマンダ２ａ’にコマンドを送信する際、コマンドの内容とコマンダ２ａ’のＩＰアドレスを宛先として、無線ネットワークにて送信する。自己宛のコマンドを受信したコマンダ２ａ’は、コマンドに含まれるコマンドの内容に応じた処理を実行する。このように、アクセスポイント３３を内蔵しているコマンダ２ａ’と、それと同室に設置されるリモコン装置１ａの間では、両者は同じ無線ネットワーク（アドホックモード）内であるため通信における支障は生じない。
【００４８】
しかしながら、図５のカラオケシステムにおいて、部屋Ｂ、部屋Ｃのようにリモコン装置１ｂ〜１ｄ（コマンダ２ａ’のアドホックモード）と、コマンダ２ｂ、２ｃ（有線ＬＡＮによるイントラネット）との間では、相互で通信する際に支障が生じることとなる。そのため、リモコン装置１ｂ〜１ｄについて、対応付けの対象となるコマンダ２ｂ、２ｃ（接続対象カラオケ装置）が、アクセスポイントを内蔵していない場合、そのペアリング処理、通常処理に特徴を持たせることで、通信の支障を解消することとしている。
【００４９】
図８は、図５のカラオケシステム中、部屋Ｂに設置されているコマンダ２ｂとリモコン装置１ｂのペアリング処理と通常処理を説明するための図である。リモコン装置１ｂとコマンダ２ａ’とは、アドホックモードにて無線接続されており、互いに無線による情報伝送を可能としている。ペアリング要求には、自己（リモコン装置１ｂ）のＩＰアドレス（識別情報）と、無線接続されているコマンダ２ａ’のＩＰアドレス（識別情報）が含まれている。このコマンダ２ａ’のＩＰアドレスは、コマンダ２ａ’との無線接続確立によって分かっているコマンダ２ａ’のＳＳＩＤから分かるようになっている。本実施形態では、コマンダ２ａ’のＩＰアドレスは、コマンダ２ａ’のＳＳＩＤに基づいて生成される。リモコン装置１ｂでは、この生成規則、あるいは、ＩＰアドレスとＳＳＩＤの対応表を記憶しており、無線接続されているコマンダ２ａ’のＳＳＩＤからＩＰアドレスを割り出すことが可能となっている。
【００５０】
赤外線通信部２３を介してペアリング要求を受信したコマンダ２ｂは、自己（コマンダ２ｂ）のＩＰアドレス（識別情報）を、コマンダ２ａ’にブロードキャスト依頼するため、ペアリング要求で受信したコマンダ２ａ’のＩＰアドレスを宛先とするコマンダ２ｂのＩＰアドレス（第２のペアリング要求）を有線ＬＡＮを介して送信する。さらに、この依頼には受信対象となるリモコン装置１ｂのＩＰアドレスも含まれている。この依頼を受信したコマンダ２ａ’は、無線ネットワーク（アドホックモード）で無線接続されているリモコン装置１ｂを宛先として、コマンダ２ｂのＩＰアドレスをブロードキャスト送信する
。
【００５１】
リモコン装置１ｂは、無線ネットワークでブロードキャスト配信されたコマンダ２ｂのＩＰアドレスを受信した後、メモリ１４に記憶させることでペアリング処理が終了する。通常処理において、リモコン装置１ａは、対応付けられているコマンダ２ｂにコマンドを送信する際、コマンドの内容とコマンダ２ｂのＩＰアドレスを宛先として、無線ネットワークにて送信する。コマンダ２ｂ宛のコマンドを無線ネットワーク（アドホックモード）で受信したコマンダ２ａ’は、当該コマンドを有線ネットワーク（イントラネット）に転送する。コマンダ２ｂは、有線ネットワーク上で自己宛のコマンドを受信して、その内容に応じた処理を実行する。
【００５２】
このように本実施形態では、異なるＩＰアドレス体系で構築されたネットワーク間、具体的には、アドホックモードによる無線ネットワークと、イントラネットによる有線ネットワーク間において、アクセスポイントを内蔵したコマンダ２ａ’が、無線ネットワークで他のコマンダ２ｂに対するコマンドを受信した場合、コマンダ２ａ’が当該コマンドを有線ネットワークに転送することで、両ネットワーク間において通信を行うことを可能としている。
【００５３】
では、図５で説明したリモコン装置１ａ〜１ｄ、コマンダ２ａ’、コマンダ２ｂで実行される各種処理について説明する。図９は、リモコン装置１にて実行されるペアリング要求処理を示すフロー図である。この処理はユーザーの設定指示によって開始される処理である。設定画面などからペアリング要求処理の開始が指示された場合、リモコン装置１は、現在、設定されているモードが内蔵無線モードか否かを判定する（Ｓ１０１）。内蔵無線モードでない場合（Ｓ１０１：Ｎｏ）、すなわち、図１で説明した外部のアクセスポイント１１０を使用して無線ネットワークが形成されている場合には、自己（リモコン装置１）のＩＰアドレスを含むペアリング要求を送信する（Ｓ１０２）。
【００５４】
一方、内蔵無線モードに設定されている場合（Ｓ１０１：Ｙｅｓ）、すなわち、図５で説明したアクセスポイントを内蔵したコマンダ２ａ’により無線ネットワークが形成されている場合には、接続されているＳＳＩＤから中継先となるコマンダ２ａ’のＩＰアドレスが割り出される（Ｓ１０３）。ペアリング要求には、Ｓ１０３で割り出されたコマンダ２ａ’のＩＰアドレスと、自己（リモコン装置１）のＩＰアドレスを含むペアリング要求を送信する（Ｓ１０４）。
【００５５】
リモコン装置１では、ペアリング要求を送信した（Ｓ１０２、Ｓ１０４）後、接続している無線ネットワークにて、対応付けするコマンダ２のＩＰアドレスの受信を待つ（Ｓ１０５）。対応付け先となるコマンダ２のＩＰアドレスを受信した場合、当該ＩＰアドレスを対応付け先してメモリ１４に記憶してペアリング要求処理を終了する。一方、所定時間待ってもペアリング要求に対する応答（ＩＰアドレス）を受信できない場合（Ｓ１０６：Ｙｅｓ）、ペアリング要求処理を終了する。この場合、リモコン装置１にはコマンダ２との対応付けができなかった旨を告知するエラー表示もしくはエラー音が出力される。ペアリング要求処理が正常に完了した場合、以後の通常処理では、ユーザ操作などにより要求された処理内容に、メモリ１４に記憶した対応付け先のコマンダ２のＩＰアドレスを宛先として付し、無線接続されているコマンダ２に送信する。
【００５６】
図１０には、ペアリグ処理中、接続対象となるコマンダ２（接続対象カラオケ装置）にて実行されるペアリング要求返信処理のフロー図が示されている。この処理は、図９にて説明したリモコン装置１のペアリング要求処理にて送信されたペアリング要求を受信することで開始される。赤外線通信部２３にてペアリング要求を受信した場合（Ｓ２０２：Ｙｅｓ）、コマンダ２ａ’は、ペアリング要求の内容に基づいて、まず、中継依頼の有無を
判定する。中継依頼が付されたペアリング要求には、Ｓ１０３にて割り出された中継先となるコマンダ２ａ’のＩＰアドレスが付されている。中継依頼が無い場合（Ｓ２０２：Ｎｏ）、図１で説明したアクセスポイント１１０による無線ネットワーク（インフラストラクチャーモード）が形成されている場合がある。この場合には、当該無線ネットワークを使用して自己（コマンダ２）のＩＰアドレスを、ペアリング要求のあったリモコン装置１に返信する。
【００５７】
一方、ペアリング要求に中継先となるコマンダ２のＩＰアドレスが付されている場合（Ｓ２０２：Ｙｅｓ）には、中継先となるＩＰアドレスが自己のＩＰアドレスか否かを判定する。自己のＩＰアドレスである場合、このコマンダ２はアクセスポイントを内蔵したコマンダ２ａ’であるため、自己が内蔵するアクセスポイントを使用して、ペアリング要求のあったリモコン装置１に対して、対応付け先となる自己のＩＰアドレスを送信する（Ｓ２０６）。中継先が自己のＩＰアドレスでない場合（Ｓ２０４：Ｎｏ）には、中継先となるＩＰアドレスを有するコマンダ２ａ’（無線機能カラオケ装置）に対して、対応付け先となるコマンダ２のＩＰのブロードキャスト依頼を実行する。対応付け対象となるコマンダ２（接続対象カラオケ装置）では、このようなペアリング要求返信処理を実行することで、対応付け対象となるリモコン装置１に対して、自己（コマンダ２）のＩＰアドレスを返信することが可能となる。
【００５８】
図１１には、コマンドの送受信を行う通常処理において、アクセスポイントを内蔵するコマンダ２ａ’（無線機能内蔵カラオケ装置）での処理を示すフロー図が示されている。アクセスポイントを内蔵するコマンダ２ａ’では、無線接続されたリモコン装置１ａ〜１ｄからコマンドを受信した場合、自己宛のコマンドか、他宛のコマンドかを判定して対応した処理を実行する。自己のＩＰアドレスが付された自己宛のコマンドである場合（Ｓ３０２：Ｙｅｓ）には、コマンドを受信したコマンダにて処理をその処理を実行する。一方、自己宛のコマンドでない場合（Ｓ３０２：Ｎｏ）には、当該コマンドをイントラネットで構成された有線ＬＡＮに転送する。このように、本実施形態のコマンダ２ａ’は、アドホックモードで構築された無線ＬＡＮで受信したコマンドが自己宛でないと判定された場合、イントラネットで構築された有線ＬＡＮに転送することで、ＩＰアドレス体系の異なるネットワーク間に接続されたリモコン装置１とコマンダ２ｂ、２ｃとの間においても情報の送受信を行うことが可能となっている。
【００５９】
なお、本発明はこれらの実施形態のみに限られるものではなく、それぞれの実施形態の構成を適宜組み合わせて構成した実施形態も本発明の範疇となるものである。
【符号の説明】
【００６０】
１…リモコン装置、２…コマンダ（カラオケ装置）、１１…表示部、１２…ビデオＲＡＭ、１３…映像制御部、１４…メモリ、１５…ＣＰＵ、１６…無線ＬＡＮ通信部、１７…操作部、１８…操作処理部、１９…赤外線通信部、２１…操作部、２２…操作処理部、２３…赤外線通信部、２４…有線ＬＡＮ通信部、２５…音声制御部、２７…メモリ、２８…ビデオＲＡＭ、２９…映像再生部、３０…ＣＰＵ、３１…映像制御部、３２…ハードディスク（ＨＤＤ）、３３…内部アクセスポイント、４１…外部モニタ、４２…スピーカー、４４…マイクロホン、１００…ＬＡＮ、１１０…アクセスポイント、１２０…ルータ
【図１】
2014131122.tif 000003
【図２】
2014131122.tif 000004
【図３】
2014131122.tif 000005
【図４】
2014131122.tif 000006
【図５】
2014131122.tif 000007
【図６】
2014131122.tif 000008
【図７】
2014131122.tif 000009
【図８】
2014131122.tif 000010
【図９】
2014131122.tif 000011
【図１０】
2014131122.tif 000012
【図１１】
2014131122.tif 000013
【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
接続対象カラオケ装置と無線機能内蔵カラオケ装置がネットワークで接続され、操作手段としてリモコン装置を有するカラオケシステムにおいて、
接続対象カラオケ装置は、無線機能内蔵カラオケ装置と有線通信可能な第１通信手段と、第１制御手段と、を備え、
無線機能内蔵カラオケ装置は、第１通信手段と有線通信可能な第２通信手段と、第１通信手段と第２通信手段が形成するネットワークと異なるアドレス体系にて無線通信を行うアクセスポイントと、第２制御手段と、を備え、
リモコン装置は、アクセスポイントと無線通信を行う無線通信手段と、第３制御手段と、を備え、
無線機能内蔵カラオケ装置の第２制御手段は、アクセスポイントにて、リモコン装置から接続対象カラオケ装置宛のコマンドを受信した場合、当該コマンドを第２通信手段が形成するネットワークに転送し、
接続対象カラオケ装置の第１制御手段は、第１通信手段にて、無線機能内蔵カラオケ装置から転送されたコマンドを受信して実行することを特徴とする
カラオケシステム。
【請求項２】
リモコン装置は、第２の無線通信を行う無線送信手段を備え、
接続対象カラオケ装置は、第２の無線通信にて無線送信手段から送信された信号を受信可能な無線受信手段を備え、
リモコン装置の第３制御手段は、アクセスポイントと無線接続するとともに、無線機能内蔵カラオケ装置の識別情報を含む対応付け要求を、無線送信手段にて接続対象カラオケ装置に送信する第１処理と、
接続対象カラオケ装置の第１制御手段は、対応付け要求を受信したとき、接続対象カラオケ装置の識別情報を含む第２対応付け要求を第１通信手段にて無線機能内蔵カラオケ装置に送信する第２処理と、
無線機能内蔵カラオケ装置の第２制御手段は、第２対応付け要求を第２通信手段にて受信したとき、対応付け要求を行ったリモコン装置に対し、接続対象カラオケ装置の識別情報を、アクセスポイントにて送信する第３処理と、
リモコン装置の第３制御手段は、無線通信手段にて受信した接続対象カラオケ装置の識別情報を記憶する第４処理と、を含んだ対応付け処理を実行可能とし、
接続対象カラオケ装置宛のコマンドとして、第４処理で記憶した接続対象カラオケ装置の識別情報を付したコマンドを、アクセスポイントに無線送信する
請求項１に記載のカラオケシステム。
【請求項３】
リモコン装置は、アクセスポイントが無線送信するＳＳＩＤに基づいて、無線機能内蔵カラオケ装置の識別情報を判定可能とすることを特徴とする
請求項２に記載のカラオケシステム。
【手続補正２】
【補正対象書類名】明細書
【補正対象項目名】００１１
【補正方法】変更
【補正の内容】
【００１１】
そのため、本発明に係るカラオケシステムは、
接続対象カラオケ装置と無線機能内蔵カラオケ装置がネットワークで接続され、操作手段としてリモコン装置を有するカラオケシステムにおいて、
接続対象カラオケ装置は、無線機能内蔵カラオケ装置と有線通信可能な第１通信手段と、第１制御手段と、を備え、
無線機能内蔵カラオケ装置は、第１通信手段と有線通信可能な第２通信手段と、第１通信手段と第２通信手段が形成するネットワークと異なるアドレス体系にて無線通信を行うアクセスポイントと、第２制御手段と、を備え、
リモコン装置は、アクセスポイントと無線通信を行う無線通信手段と、第３制御手段と、を備え、
無線機能内蔵カラオケ装置の第２制御手段は、アクセスポイントにて、リモコン装置から接続対象カラオケ装置宛のコマンドを受信した場合、当該コマンドを第２通信手段が形成するネットワークに転送し、
接続対象カラオケ装置の第１制御手段は、第１通信手段にて、無線機能内蔵カラオケ装置から転送されたコマンドを受信して実行することを特徴とする。
【手続補正３】
【補正対象書類名】明細書
【補正対象項目名】００１２
【補正方法】変更
【補正の内容】
【００１２】
さらに本発明に係るカラオケシステムにおいて、
リモコン装置は、第２の無線通信を行う無線送信手段を備え、
接続対象カラオケ装置は、第２の無線通信にて無線送信手段から送信された信号を受信可能な無線受信手段を備え、
リモコン装置の第３制御手段は、アクセスポイントと無線接続するとともに、無線機能内蔵カラオケ装置の識別情報を含む対応付け要求を、無線送信手段にて接続対象カラオケ装置に送信する第１処理と、
接続対象カラオケ装置の第１制御手段は、対応付け要求を受信したとき、接続対象カラオケ装置の識別情報を含む第２対応付け要求を第１通信手段にて無線機能内蔵カラオケ装置に送信する第２処理と、
無線機能内蔵カラオケ装置の第２制御手段は、第２対応付け要求を第２通信手段にて受信したとき、対応付け要求を行ったリモコン装置に対し、接続対象カラオケ装置の識別情報を、アクセスポイントにて送信する第３処理と、
リモコン装置の第３制御手段は、無線通信手段にて受信した接続対象カラオケ装置の識別情報を記憶する第４処理と、を含んだ対応付け処理を実行可能とし、
接続対象カラオケ装置宛のコマンドとして、第４処理で記憶した接続対象カラオケ装置の識別情報を付したコマンドを、アクセスポイントに無線送信する。